(57)【要約】【課題】読取り完了時にセキュリティに関する設定値を標準値に戻すことで、セキュリティを向上させ、セキュリティに関連しない設定値を残すことで再設定する工程を省くこと。【解決手段】設定した条件にて読み取った画像を送信可能な画像形成装置は、標準設定値を別の設定値に変更する手段と、変更後の設定値を記憶する記憶手段と、変更後の設定値からセキュリティに関連する設定値を抽出する手段とを持ち、読取りが完了した時点で、抽出されなかった設定値を保持し、抽出された設定値を標準設定値に設定する。【選択図】図１
2009104386.tif 000002
【特許請求の範囲】
【請求項１】
設定した条件にて読み取った画像を送信可能な画像形成装置において、
標準設定値を別の設定値に変更する手段と、
前記変更後の設定値を記憶する記憶手段と、
前記変更後の設定値からセキュリティに関連する設定値を抽出する手段とを持ち、
読取りが完了した時点で、抽出されなかった設定値を保持し、前記抽出された設定値を標準設定値に設定することを特徴とする画像形成装置。
【請求項２】
ユーザ認証手段を持ち、
前記ユーザ認証手段でユーザが特定されている場合は設定値を保持し、ユーザが特定されていない場合は前記抽出された設定値を標準設定値に設定することを特徴とする請求項１記載の画像形成装置。
【請求項３】
読み取り中止手段を持ち、
ユーザ認証したユーザが読み取り中にユーザ認証を破棄した後に前記読み取り中止手段で読み取りを中止した場合、
読み取り指示をしたユーザでのユーザ認証を提示し、読み取り指示したユーザであることを特定できれば中止後でも設定値を保持することを特徴とする請求項２記載の画像形成装置。
【請求項４】
読み取った画像を異なる複数の宛先に同時に送信する手段を備え、
セキュリティに関連する設定値が設定されていた場合、異なる複数の宛先の設定を禁止することを特徴とする請求項１から３のいずれか１項に記載の画像形成装置。
【請求項５】
読み取った画像を異なる複数の宛先に同時に送信する手段を備え、
セキュリティに関連する設定値が設定されていた場合、異なる複数の宛先に同時に送信するときに警告をすることを特徴とする請求項１から４のいずれか１項に記載の画像形成装置。
【請求項６】
読取りが完了した時点で、前記抽出されなかった設定値を保持し、抽出された設定値を標準設定値に設定するか、全ての設定値をそのまま保持するか、を選択することを特徴とする請求項１から５のいずれか１項に記載の画像形成装置。
【請求項７】
設定変更が実施されたことを通知することを特徴とする請求項１から６のいずれか１項に記載の画像形成装置。
【請求項８】
設定した条件にて読み取った画像を送信可能な画像形成装置の制御方法であって、
標準設定値を別の設定値に変更するステップと、
前記変更後の設定値を記憶するステップと、
前記変更後の設定値からセキュリティに関連する設定値を抽出するステップと、
読取りが完了した時点で、抽出されなかった設定値を保持し、前記抽出された設定値を標準設定値に設定するステップとを有することを特徴とする画像形成装置の制御方法。
【請求項９】
ユーザを認証するステップを有し、
前記ユーザを認証するステップでユーザが特定されている場合は設定値を保持し、ユーザが特定されていない場合は前記抽出された設定値を標準設定値に設定することを特徴とする請求項８記載の画像形成装置の制御方法。
【請求項１０】
セキュリティに関連する設定値が設定されているか判断するステップを有し、
セキュリティに関連する設定値が設定されていた場合、読み取った画像を異なる複数の宛先に同時に送信するために異なる複数の宛先の設定を禁止することを特徴とする請求項８または９記載の画像形成装置の制御方法。
【請求項１１】
設定した条件にて読み取った画像を送信可能な画像形成装置に、
標準設定値を別の設定値に変更する処理と、
前記変更後の設定値を記憶部に記憶する処理と、
前記変更後の設定値からセキュリティに関連する設定値を抽出する処理と、
読取りが完了した時点で、抽出されなかった設定値を保持し、前記抽出された設定値を標準設定値に設定する処理とを実行させることを特徴とするプログラム。
【発明の詳細な説明】
【技術分野】
【０００１】
本発明は、複数の画像送信先の情報装置と、画像形成装置を備えた画像配信技術に関する。
【背景技術】
【０００２】
従来、特許文献１のようにモードクリアを行う際に、所望のモードを残して不要なモードのみをクリアできるようにして、設定作業の効率化および設定ミスの低減を図る技術があった。
【０００３】
この技術では、選択したモードに対してのみモードクリアを実行し、設定に矛盾が起きた際には警告表示や正常な設定値への置き換えなどを実施する。
【特許文献１】特開平１１−２４２４１１号公報
【発明の開示】
【発明が解決しようとする課題】
【０００４】
しかし、上記の従来技術では、選択的モードクリアのタイミングは指示した時だけであり、セキュリティに関連する項目を提示したり、タイミングによって強制的にクリアされることはない
【０００５】
本発明は、この様な問題点を解決し、読取り完了時にセキュリティに関する設定値を標準値に戻すことで、セキュリティを向上させ、また、セキュリティに関連しない設定値を残すことで再設定する工程を省くことを目的とする。
【課題を解決するための手段】
【０００６】
本発明は、設定した条件にて読み取った画像を送信可能な画像形成装置において、標準設定値を別の設定値に変更する手段と、変更後の設定値を記憶する記憶手段と、変更後の設定値からセキュリティに関連する設定値を抽出する手段とを持ち、読取りが完了した時点で、抽出されなかった設定値を保持し、抽出された設定値を標準設定値に設定することを特徴とする画像形成装置を提供する。
【０００７】
また、本発明は、設定した条件にて読み取った画像を送信可能な画像形成装置の制御方法であって、標準設定値を別の設定値に変更するステップと、変更後の設定値を記憶するステップと、変更後の設定値からセキュリティに関連する設定値を抽出するステップと、読取りが完了した時点で、抽出されなかった設定値を保持し、抽出された設定値を標準設定値に設定するステップとを有することを特徴とする画像形成装置の制御方法を提供する。
【０００８】
また、本発明は、設定した条件にて読み取った画像を送信可能な画像形成装置に、標準設定値を別の設定値に変更する処理と、変更後の設定値を記憶部に記憶する処理と、変更後の設定値からセキュリティに関連する設定値を抽出する処理と、読取りが完了した時点で、抽出されなかった設定値を保持し、抽出された設定値を標準設定値に設定する処理とを実行させることを特徴とするプログラムを提供する。
【発明の効果】
【０００９】
本発明によれば、読取り完了時にセキュリティに関する設定値を標準値に戻すことで、セキュリティを向上させ、また、セキュリティに関連しない設定値を残すことで再設定する工程を省くことが出来る。
【発明を実施するための最良の形態】
【００１０】
以下、本発明にかかる設定された条件にて読み取り画像を送信可能な画像形成装置にかかる第一の実施の形態について図面を参照しながら説明する。
【００１１】
＜画像形成装置の説明＞
図１において、ＬＡＮ（ローカルエリアネットワーク）やＷＡＮ（ワイドエリアネットワーク）のネットワーク１４上には画像送信先の情報装置１５が接続されている。
【００１２】
また、ネットワーク１４上には読み取り画像を送信可能な画像形成装置１も接続されている。
【００１３】
読み取り画像を送信可能な画像形成装置１は、内部バス８と、それに接続されたＣＰＵ１０、操作画面表示手段７、アプリケーション２、通信管理手段１１、画像入力デバイス１２、記憶装置９の各部から構成されている。
【００１４】
内部バス８を介して、ＣＰＵ１０、操作画面表示手段７、アプリケーション２、通信管理手段１１、画像入力デバイス１２、記憶装置９の各部は、データのやり取りができるような構成となっている。
【００１５】
アプリケーション２は、セキュリティ項目抽出手段３と、設定値変更手段４と、読み取り中止手段５と、ユーザ認証手段６を持つ。
【００１６】
第一の実施の形態の基本的な流れを図２のフローチャートに示す。前提として、読取り送信に必要な設定値に下記のような項目がある。「解像度、白黒/カラー、サイズ、両面、ファイル形式、宛先、送信者、メール本文、件名、ファイル名」。
【００１７】
まず、標準設定値変更がされる場合にはステップＳ１−１にて指定された設定値に変更し、ステップＳ１−２にて設定値を記憶する。
【００１８】
次にスタートキー押下などにより原稿を読み取る（Ｓ１−３）。
【００１９】
読み取り完了後、ステップＳ１−４にてセキュリティ項目を抽出し、ステップＳ１−５にてセキュリティ項目を標準設定値に設定する。
【００２０】
なお、セキュリティ項目に該当する設定値には、「宛先」「送信者」「メール本文」「件名」「ファイル名」がある。セキュリティ項目として該当する判断基準は、１．機密情報／個人情報など漏洩すると危険な情報、それを類推される危険性がある情報、が記載される可能性のある項目と、２．上記の情報の漏洩を誘発する可能性がある項目である。例えば、「メール本文」や「件名」「ファイル名」には機密情報が記載されている可能性が高いため、保護されるべき情報そのものといえる。これは上記１．に該当する。「宛先」に関しては、機密情報記載のメール本文を誤って別の宛先に送る可能もあるため、宛先もクリアされるべき情報といえる。これは上記２．に該当する。
【００２１】
本発明において、対象となるセキュリティ項目は上記の項目の全て、あるいは任意のものとする。また、「送信者」は個人の情報と、送信時に入力必須となる項目である面から上記の両方に該当する。
【００２２】
下記に第一の実施の形態の実施例を示す。
標準設定値として下記が設定されているものとする。
解像度：２００ｄｐｉ、白黒／カラー：白黒、サイズ：Ａ４、ファイル形式：Ｔｉｆｆ、宛先：（なし）、送信者：（なし）、メール本文：（なし）、ファイル名：（なし）
【００２３】
これに対して、ユーザが例えば下記のように設定をする。
解像度：３００ｄｐｉ、白黒／カラー：カラー、サイズ：Ａ３、ファイル形式：ＰＤＦ、宛先： HYPERLINK "mailto:rrr@ricoh.co.jp" rrr@ricoh.co.jp、送信者： HYPERLINK "mailto:xxx@aa.jp" xxx@aa.jp、メール本文：山○さん 上方修正した分の利益算出値が誤っていたので修正後のグラフを送ります。ファイル名：０７年度利益算出
【００２４】
読取りを実行し、原稿の読み取りが完了した時点で「ピッピッ」とフィードバック音が鳴る。
【００２５】
設定画面には下記のようにセキュリティ項目がクリアされ、それ以外の項目はそのまま残った状態で設定がされている。
解像度：３００ｄｐｉ、白黒／カラー：カラー、サイズ：Ａ３、ファイル形式：ＰＤＦ、宛先：（なし）、送信者：（なし）、メール本文：（なし）、ファイル名：（なし）
【００２６】
次に、本発明の第二の実施の形態について説明する。本実施の形態の基本的な流れを図３のフローチャートに示す。
【００２７】
まず、ステップＳ２−１からステップＳ２−３までは上記の第一の実施の形態と同様である。
【００２８】
ステップＳ２−４でユーザ認証なし／ありの条件により、セキュリティ項目クリア（Ｓ２−５，Ｓ２−６）を実行する／しないの処理が変わる。
【００２９】
具体的には、まず読み取り前の任意のタイミングでユーザ認証画面を提示する。ユーザ名：「ricoh1」、パスワード「XXXXX」を入力してログインする。この場合、同一のユーザ「ricoh1」がまだ画像形成装置を使用し続けているとみなし、セキュリティ項目はそのまま保持される。一方、ユーザ認証でログインしなかった場合は同一のユーザがいる保証がないため、上記の第一の実施の形態と同様にセキュリティ項目の設定値がクリアされる。
【００３０】
次に、本発明の第三の実施の形態について説明する。本実施の形態の基本的な流れを図４のフローチャートに示す。
【００３１】
まず、ステップＳ３−１からステップＳ３−３までは上記の第一の実施の形態と同様である。
【００３２】
ステップＳ３−４でユーザ認証をログアウトにて破棄する。
【００３３】
ステップＳ３−５で読み取り中止を実行し、ステップＳ３−６で読み取り以前にユーザ認証したユーザ：「ricoh1」のユーザ名で認証を促し、パスワード入力にて「ricoh1」が認証完了したかどうかをステップＳ３−７で判定し、認証された場合は設定値が保持される。
【００３４】
一方、認証されなかった場合はステップＳ３−８、ステップＳ３−９で上記の第一の実施の形態と同様にセキュリティ項目の設定値がクリアされる。
【００３５】
次に、本発明の第四の実施の形態について説明する。本実施の形態では、複数の宛先設定をさせないようにする。
【００３６】
図５に示すように、操作画面上で「メール本文」、「件名」、「送信者」といったセキュリティ項目が設定されており、宛先として「Ｅさん」を設定している。その後、図６に示すように「Ｋさん」を宛先に追加設定した場合、既に設定されていた宛先「Ｅさん」の設定がクリアされる。
【００３７】
この例では、以前に設定された宛先が残っていた場合でもその宛先設定をクリアして情報漏洩を防ぐケースを想定している。
【００３８】
別のケースとしては、余計な宛先を追加したことによる情報漏洩を想定して、既に宛先が設定されている時はその宛先設定を解除するまで別の宛先設定をさせないようにしてもよい。
【００３９】
次に、本発明の第五の実施の形態について説明する。本実施の形態では、複数の宛先設定をした場合、確認のために送信時に図７のような警告画面を出す。また、図８のように宛先や本文のプレビューを同時出すなどしてもよい。
【００４０】
次に、本発明の第六の実施の形態について説明する。本実施の形態では、読取り完了後、図９に示すようなセキュリティ項目をクリアするか否かを指示するかの指示を促すメッセージを表示する。ＹＥＳが選択された場合、上記の第一の実施の形態と同様の手順にてセキュリティ項目のクリアを実施する。ＮＯが選択された場合、設定値をそのまま保持する。
【００４１】
次に、本発明の第七の実施の形態について説明する。本実施の形態では、セキュリティ項目のクリアが実施された時点で、セキュリティ項目がクリアされたことをメッセージ画面の表示や「ピッピッ」などと音を鳴らすことでユーザに実施したことを報知する。
【００４２】
以下に各請求項ごとの目的、作用効果を記載する。
【００４３】
請求項２記載の発明によれば、使用者をユーザ認証で判断する（作用）ことで、画面上に表示されるセキュリティ情報を第三者に見られることを防ぐ（効果）。
【００４４】
請求項３記載の発明によれば、使用者をユーザ認証で判断する（作用）ことで、画面上に表示されるセキュリティ情報を第三者に見られることを防ぎ、利便性も向上させる（効果）。
【００４５】
請求項４記載の発明によれば、宛先の複数設定を禁止する（作用）ことで、セキュリティ情報を誤った送信先に漏洩することを防ぐ（効果）。
【００４６】
請求項５記載の発明によれば、宛先の複数設定をした時に警告する（作用）ことで、セキュリティ情報を誤った送信先に漏洩することを防ぐ（効果）。
【００４７】
請求項６記載の発明によれば、セキュリティ項目も再利用できるようにする（作用）ことで、利便性を向上させる（効果）。
【００４８】
請求項７記載の発明によれば、設定値変更を使用者に知らせる（作用）ことで、ユーザに設定状況を把握させる（効果）。
【００４９】
なお、上述する各実施の形態は、本発明の好適な実施の形態であり、本発明の要旨を逸脱しない範囲内において種々の変更実施が可能である。
【図面の簡単な説明】
【００５０】
【図１】本発明の画像形成装置のブロック図である。
【図２】第一の実施の形態の基本的な流れを示すフローチャートである。
【図３】第二の実施の形態の基本的な流れを示すフローチャートである。
【図４】第三の実施の形態の基本的な流れを示すフローチャートである。
【図５】宛先設定画面の例を示す図である。
【図６】複数宛先設定後画面の例を示す図である。
【図７】複数宛先送信の警告画面の例を示す図である。
【図８】複数宛先送信の警告画面の例を示す図である。
【図９】セキュリティクリア選択画面の例を示す図である。
【符号の説明】
【００５１】
１    画像形成装置
２    アプリケーション
３    セキュリティ項目抽出手段
４    設定値変更手段
５    読み取り中止手段
６    ユーザ認証手段
７    操作画面表示手段
８    内部バス
９    記憶装置
１０    ＣＰＵ
１１    通信管理手段
１２    画像入力デバイス
１３    ネットワークＩ／Ｆ
１４    ネットワーク
１５    情報装置
【図１】
2009104386.tif 000003
【図２】
2009104386.tif 000004
【図３】
2009104386.tif 000005
【図４】
2009104386.tif 000006
【図５】
2009104386.tif 000007
【図６】
2009104386.tif 000008
【図７】
2009104386.tif 000009
【図８】
2009104386.tif 000010
【図９】
2009104386.tif 000011